(57)【特許請求の範囲】
【請求項１】
ノズル本体（１）の下面に横方向に長い吸い込み口（１２）を開口し、
前記吸い込み口（１２）の前後に、該吸い込み口（１２）とは直交する方向に所定間隔毎に空気流入路を形成する突条のルーバー（１３）（３０）をそれぞれ形成し、
前記吸い込み口（１２）より後方であって前記ノズル本体（１）の横方向の略全長にわたる突条（４０）を該ノズル本体（１）の下面に突設し、この突条（４０）より後方にかけて所定の角度（θ）で床面より遠ざかる方向に該ノズル本体（１）の下面に傾斜面（４１）を形成し、
前記ノズル本体（１）の下面の四隅であって前記吸い込み口（１２）の前後に走行車輪（３４）（３５）が回転自在に設けられ、
前記走行車輪（３４）（３５）の下部は前記ノズル本体（１）の下面より突出している
ことを特徴とする掃除機の吸い込みノズル。
【発明の詳細な説明】
【技術分野】
【０００１】
本発明は、掃除機本体からの吸引ホースの先端に着脱自在に装着される掃除機の吸い込みノズルに関するものである。
【背景技術】
【０００２】
掃除機本体からの吸引ホースの先端に着脱自在に装着されるこの種の吸い込みノズルの従来例として、例えば、下記に示す特許文献１が挙げられる。
【先行技術文献】
【特許文献】
【０００３】
【特許文献１】特開２０００−２２５０８０号公報（特許第３１６７９７８号）
【０００４】
前記特許文献１は、下面に横長の吸い込み口を開口し、この吸い込み口の前側と後側に走行車輪を備えた真空掃除機の吸い込みノズルにおいて、ノズル底面に前記吸い込み口の長さ方向に直交して前後に延びる多数の平行突条を設け、左右に隣り合う突条の間の吸い込み口側は該吸い込み口に落ち込む様に凹んでおり、吸い込み口を挟む前後の凹み部に吸い込み口に接近してゴム板等の可撓性板を突条の向きとに直交して突条間を塞ぐ様に設け、該可撓性板と突条がノズル底面から突出する高さはほぼ同じとし、走行車輪が床面に接したとき、突条が床面から僅か離れるようにしたものである。
【０００５】
図１０は上記特許文献１に示されているノズル本体８１の側面図を示し、ノズル本体８１の下面の前後には走行車輪８２、８３が回動自在に設けられている。ノズル本体８１の下面の前部側には吸い込み口８４が横方向の略全長にわたって形成されており、この吸い込み口８４の前方と後方にはゴム板８５、８６がそれぞれ設けられている。
また、中空体のノズル本体８１の背面側には、掃除機本体からの吸引ホースの先端が接続されるパイプ状の継手８８が設けられており、この継手８８はノズル本体８１に対して揺動自在且つ回転自在となっている。
【０００６】
図１１は、ノズル本体８１を裏面から見た要部拡大図を示し、上部がノズル本体８１の前部を示し、下部がノズル本体８１の後部を示している。横方向に形成されている吸い込み口８４に直交して前方及び後方に突条と呼ばれているルーバー８７、９０が平行にそれぞれ突設されている。
前方側の各ルーバー８７の間に吸い込み口８４に接近してゴム板９１がルーバー８７を塞ぐ形でそれぞれ配設されている。また、後方側のルーバー９０の間に吸い込み口８４に接近してゴム板９２がルーバー９０間を塞ぐ形でそれぞれ配設されている。
【０００７】
上記ルーバー８７、９０はそれぞれノズル底面９３より１〜３ｍｍ程度床面側に突出しており、走行車輪８２、８３が床面９４（図１０参照）に接した状態で、床面９４から１〜２ｍｍ程度離れ、ルーバー８７、９０の下面が床面９４に接触しないようになっている。また、ルーバー８７の基部にはノズル底面９３より一段凹んだ溝９５が該ルーバー８７の長手方向に沿ってそれぞれ凹設されている。
【０００８】
特許文献１においては、上記の構成により、各ルーバー８７、９０間に空気流入路が形成されることになり、空気の流れが確保され絨毯などの床材が吸い込み口８４の内部へ強い吸引力で吸いつけられることを防いでいる。
また、ルーバー８７、９０とゴム板９１、９２との間の狭い隙間に吸引力が作用することにより、該隙間を通過する空気の流れはゴム板９１、９２が存在しない場合に比べてより高速となり、床材表面の塵埃を吹き飛ばす力及び高速流によってエゼクター作用により、絨毯、畳等の床材の内部の塵埃を強力に吸い上げている。
【発明の概要】
【発明が解決しようとする課題】
【０００９】
しかしながら、特許文献１に記載されているノズル本体８１は、図１０に示すように、その下面は床面９４と平行に形成されているために、以下に示すような問題点を有している。
すなわち、絨毯の毛足は、短いものから長いもの、あるいは繊維が細い緻密なものから太い荒いものまで千差万別である。特に毛足が長く繊維が密な傾向にあるものなどは、空気流がその内部において得にくい。
【００１０】
そのような絨毯表面をノズル本体８１にて吸い込みながら前方向に移動させる時、前に押し出す力を継手８８に加えることで、ノズル本体８１をさらに下方へ押し付ける力が生じる。それに伴い、前部の走行車輪８２は絨毯の毛足の中に沈み込み働きを失うと共に、毛足が吸い込み口８４の長手方向前後のエッジ部周辺で、押しつぶされ、とても密になり、吸い込み口８４に吸い込まれる空気の通りにくい状態を作る。そして、その結果として掃除機の負圧による吸引力によってノズル本体８１は、さらに絨毯に強く押し付けられる状態となり、ノズル本体８１の絨毯への張り付き現象を生じて、前方向へのノズルの移動は重く困難な状態を呈するに至る。
なお、ノズル本体８１を後ろ方向に継手８８で引く場合は、ノズル本体８１は床から離れようとする力を受けるので、前方向に動かそうとする上述の問題は起こらない。
【００１１】
そこで、ノズル本体８１を前に押し出す時が問題であり、毛足が吸い込み口８４の長手方向前後のエッジ部周辺で、押しつぶされないようにすることが要点となる。この要点を解決することで、掃除機の負圧によるノズル本体８１の絨毯への必要以上の吸い付き、すなわち、張り付き現象を防ぎ、前方向へのノズル本体８１のスムーズな移動を実現することができる。
【００１２】
また、図１１に示すように、吸い込み口８４の前後に配設している各ルーバー８７、９０は、前後方向に一直線状に配置されているために、ノズル本体８１を前後に通過させて塵埃を吸引しても、ルーバー８７、９０の下面に対応して位置している塵埃が床面９４上に残り、各ルーバー８７、９０に対応して塵埃が筋状に残ってしまうという問題もあった。
各ルーバー８７、９０に対応している箇所以外は綺麗に塵埃を吸引することができるものの、ルーバー８７、９０に対応した部分には塵埃が筋状に残り、この残った筋状の塵埃を吸引するために、ノズル本体８１を何回も横方向や前後方向に動かす必要があり、塵埃を綺麗に吸引するのに手間取るという問題があった。
【００１３】
本発明は上述の問題点に鑑みて提供したものであって、毛足が長く繊維が密な傾向にある床材において、ノズル本体を前方に動かした場合にも、床材にノズル本体が押し付けられず、張り付かず、吸引力が落ちない程度に、自然な掃除動作の中で床材との適度で適切な隙間を、吸い込み口を容易に浮き上がらせることで確保することを目的とした掃除機の吸い込みノズルを提供するものである。
【課題を解決するための手段】
【００１４】
そこで、本発明の請求項１に記載の掃除機の吸い込みノズルでは、ノズル本体１の下面に横方向に長い吸い込み口１２を開口し、前記吸い込み口１２の前後に、該吸い込み口１２とは直交する方向に所定間隔毎に空気流入路を形成する突条のルーバー１３、３０をそれぞれ形成し、
前記吸い込み口１２より後方であって前記ノズル本体１の横方向の略全長にわたる突条４０を該ノズル本体１の下面に突設し、この突条４０より後方にかけて所定の角度θで床面より遠ざかる方向に該ノズル本体１の下面に傾斜面４１を形成し、前記ノズル本体１の下面の四隅であって前記吸い込み口１２の前後に走行車輪３４、３５が回転自在に設けられ、前記走行車輪３４、３５の下部は前記ノズル本体１の下面より突出していることを特徴としている。
【発明の効果】
【００１５】
本発明の請求項１に記載の掃除機の吸い込みノズルによれば、吸い込み口１２より後方であって前記ノズル本体１の横方向の略全長にわたる突条４０を該ノズル本体１の下面に突設し、この突条４０より後方にかけて所定の角度θで床面より遠ざかる方向に該ノズル本体１の下面に傾斜面４１を形成していることで、ノズル本体１の後部を力点として下方に押すと、後部の走行車輪３５は毛足の長い絨毯等の床材内に沈み込むことで、前記突条４０が支点として作用し、ノズル本体１の前部、すなわち、吸い込み口１２を床面から浮き上がらせることができ、そのため、毛足の長い絨毯等の床材が空気流入路に密着していても、ノズル本体１の前部が浮き上がって毛足が吸い込み口１２の長手方向前後のエッジ部周辺で、押しつぶされないようになり、よって、空気流入路に空気が流入して、吸引力を復帰させて、塵埃を吸引することができ、また、ノズル本体１は傾斜面４１を滑り台にして、すなわち、傾斜面４１に設けたルーバー３０の効果によるところの摩擦面を小さくしているので、絨毯等の床面をよく滑り、ノズル本体１の前方向の動きを、走行車輪３５が働かなくても、さらにスムーズにすることができる。
また、従来のようにノズル本体１の後部のエッジ部分を支点としてノズル本体１の前部を浮き上がらせるのではなく、吸い込み口１２に近い突条４０の部分を支点としてノズル本体１の前部を浮き上がらせているので、吸い込み口１２の開口面が床材よりあまり離れることがない。そのため、吸い込み力ないし吸引力が従来のように落ちることがなく、毛足が長い絨毯等の床材の場合であっても、一定の吸引力を保持できて、強力に塵埃を吸引することができる。
【図面の簡単な説明】
【００１７】
【図１】本発明の実施の形態におけるノズル本体の平面図である。
【図２】本発明の実施の形態におけるノズル本体の側面図である。
【図３】本発明の実施の形態における図１のＡ−Ａ断面図である。
【図４】本発明の実施の形態における図１のＢ−Ｂ断面図である。
【図５】本発明の実施の形態における要部拡大断面図である。
【図６】本発明の実施の形態におけるノズル本体の裏面図である。
【図７】本発明の実施の形態におけるノズル本体の要部拡大平面図である。
【図８】本発明の実施の形態におけるノズル本体の要部拡大斜視図である。
【図９】本発明の実施の形態における説明図である。
【図１０】従来例のノズル本体の側面図である。
【図１１】従来例のノズル本体の裏面から見た要部拡大図である。
【発明を実施するための形態】
【００１８】
以下、本発明の実施の形態を図面を参照して詳細に説明する。図１は本発明のノズル本体１の平面図を示し、図２はノズル本体１の側面図を、図３は図１のＡ−Ａ断面図をそれぞれ示している。また、図４は図１のＢ−Ｂ断面図を、図５は図３の要部拡大断面図をそれぞれ示している。
【００１９】
プラスティック製で中空体からなるノズル本体１は、上ケース２と下ケース３とで外殻を形成しており、周側部にはゴム製の緩衝材４が設けてあり、掃除中に家具等に当たっても傷を付けないようになっている。
また、ノズル本体１の後面側の上ケース２と下ケース３との間には略Ｔ字状の軸支部５が揺動自在に設けられており、この軸支部５の後部に掃除機本体からの吸引ホース（図示せず）の先端が接続される円筒状で略Ｊ字状とし先端に至るほど細径とした継手６が回動自在に連結されている。
【００２０】
図２及び図４に示すように、ノズル本体１の上面の両側には、複数の長孔７を有するよろい窓状の吸い込み部１０がそれぞれ配設されていて、掃除機本体の駆動時にこの吸い込み部１０から空気がノズル本体１の内部へ吸い込まれる。
【００２１】
図６はノズル本体１の裏面図を示し、図７は図６の要部拡大図を、図８は要部の概略拡大斜視図をそれぞれ示している。ノズル本体１の下面には横方向の略全長にわたって吸い込み口１２が開口しており、この吸い込み口１２に対して前部側のノズル本体１の下面には、所定の間隔毎に突条のルーバー１３が該吸い込み口１２に直交する形で一体に平行に突設されている。
【００２２】
ノズル本体１の各ルーバー１３間の底面１４の前部は図８に示すように湾曲しており、各ルーバー１３は底面１４より１〜３ｍｍ程度突出している。また、ノズル本体１の底面１４には空気吸い込み用の穴１５、１６が穿孔されており、一方の穴１６からは該穴１６と連通して略八字状に溝１７が底面１４に凹設されている。
また、ルーバー１３間の底面１４の両側には前後方向（吸い込み口１２の長手方向と直交する方向）に溝２０がそれぞれ凹設されていて、この溝２０に前記溝１７が連通している。この溝２０の前部は底面１４の形状と同様に湾曲しており、溝２０の前面側は開口した状態となっている。
【００２３】
各ルーバー１３間の吸い込み口１２に近い底面１４には二股状のゴム板２１がそれぞれ配設されており、ゴム板２１の中央部と該ゴム板２１の両側の端面とルーバー１３の側面との間にはそれぞれ隙間２２、２３が形成されている。前記ゴム板２１は、ルーバー１３の下面より１〜２ｍｍ程度下方へ突出している。
【００２４】
ここで、各ルーバー１３間の底面１４、両側の溝２０、１７、ゴム板２１にて形成される隙間２２、２３等にて空気流入路が形成される。
【００２５】
吸い込み口１２より後方のノズル本体１の下面にも、上記ルーバー１３と同様な突条のルーバー３０が所定の間隔毎に該吸い込み口１２に直交する形で一体に平行に突設されている。
ここで、図６及び図７に示すように、後部の各ルーバー３０は、前部の各ルーバー１３とは前後方向に一直線状にならないように、各ルーバー１３に対して横方向にずらして配設している。そして、各ルーバー３０は、ノズル本体１の下ケース３の後部の縁部付近まで延設して一体に突設されている。
【００２６】
各ルーバー３０は、下ケース３の底面３２より１〜３ｍｍ程度突出している。また、ノズル本体１の下ケース３の底面３２には空気吸い込み用で横方向に長い穴３３が穿孔されている。各ルーバー３０間で吸い込み口１２に近接した位置の底面３２にはゴム板３１がそれぞれ設けられており、このゴム板３１は、ルーバー３０の下面より１〜２ｍｍ程度下方へ突出している。
また、図６に示すように、ノズル本体１の下ケース３の下面の四隅には走行車輪３４、３５がそれぞれ回転自在に設けられている。
【００２７】
なお、ノズル本体１の走行車輪３４、３５が床面に接した状態で、各ルーバー１３、３０の下面は床面から１〜２ｍｍ程度離れるようになっており、また、ゴム板２１、３１は床面に若干接触して絨毯等の床材の塵埃をはたき出して吸引するようになっている。
なお、ノズル本体１における吸引動作自体は本発明の要旨ではないので、その説明は省略する。
【００２８】
ここで、図６に示すように、ノズル本体１の下面に各ルーバー３０と直交する形で横方向の略全長にわたって突条４０が一体に形成されている。この突条４０の下面と各ルーバー３０の下面とは面一となっている。
そして、図５に示すように、前記突条４０を境としてノズル本体１の下面は所定の角度を持たせた傾斜面４１を形成している。すなわち、突条４０より後方にかけて所定の角度θで床面より遠ざかる方向に該ノズル本体１の下面に傾斜面４１を形成している。ノズル本体１の軸支部５を力点として下方に押した時に、後部の走行車輪３５が毛足の長い絨毯内に沈み込むことで、この突条４０が支点として作用し、ノズル本体１の前部を床面より浮き上がらせることができる。
【００２９】
図９に示すように、軸支部５を力点として下方に押した際に、ノズル本体１の吸い込み口１２の前部のエッジ部分が床面から浮き上がる寸法Ｌを１〜４ｍｍ程度となるように、傾斜面４１の角度θを１〜６°の範囲に設定する。
これにより、毛足の長い絨毯等の床材の表面をノズル本体１で吸引していって、各ルーバー１３、３０間の空気流入路に毛足が吸着してノズル本体１が前方向に移動しにくくなった場合には、軸支部５の部分を下方に押すことで、後部の走行車輪３５が毛足の長い絨毯等の床材内に沈み込み、この走行車輪３５が沈み込むことで、突条４０を支点としてノズル本体１の前部が浮き上がり、毛足が吸い込み口１２の長手方向前後のエッジ部周辺で、押しつぶされないようになり、よって、空気流入路に空気が流入して、吸引力を復帰させて、塵埃を吸引することができ、また、ノズル本体１を前方向にスムーズに移動させることができる。
【００３０】
また、ノズル本体１は傾斜面４１を滑り台にして、すなわち、傾斜面４１に設けたルーバー３０の効果によるところの摩擦面を小さくしているので、絨毯等の床面をよく滑り、ノズル本体１の前方向の動きを、走行車輪３５が働かなくても、さらにスムーズにすることができる。
このように、毛足が長く繊維が密な傾向にある床材において、ノズル本体１を前方に動かした場合にも、床材にノズル本体１が押し付けられず、張り付かず、吸引力が落ちない程度に、自然な掃除動作の中で床材との適度で適切な隙間を、吸い込み口１２を容易に浮き上がらせることで確保することができる。
【００３１】
また、従来のようにノズル本体１の後部のエッジ部分を支点としてノズル本体１の前部を浮き上がらせるのではなく、吸い込み口１２に近い突条４０の部分を支点としてノズル本体１の前部を浮き上がらせているので、吸い込み口１２の開口面が床材よりあまり離れることがない。そのため、吸い込み力ないし吸引力が従来のように落ちることがなく、毛足が長い絨毯等の床材の場合であっても、一定の吸引力を保持できて、強力に塵埃を吸引することができる。
【００３４】
なお、上記突条４０はルーバー３０と同じ高さ寸法としていて、フローリング等の硬い床材では突条４０を支点として動作させることができないが、毛足が長い絨毯等の床材では後部の走行車輪３５が床材に埋まるため、突条４０を支点として容易に動作させることができる。
また、力点に対する支点を突条４０とし、この突条４０をゴム板３１の後方に設けていたが、この支点をゴム板３１側に近づけた位置に設けるようにしても良い。さらに、この突条４０は底面３２の面上位置からルーバー３０と略同じ高さの間なら、どんな高さでも良い。
【００３５】
また、吸い込み口１２の前後に設けた各ルーバー１３、３０は、従来のように前後方向に一直線状に形成せずに、前後のルーバー１３、３０は横方向にずらせているので、ノズル本体１を前後方向に移動させるだけで、従来のように塵埃を筋状に残すことなく、塵埃を綺麗に吸引することができる。
【符号の説明】
【００３６】
１  ノズル本体
５  軸支部
１２  吸い込み口
１３  ルーバー
３０  ルーバー
４０  突条
４１  傾斜面
【図１】
0005393396.tif 000002
【図２】
0005393396.tif 000003
【図３】
0005393396.tif 000004
【図４】
0005393396.tif 000005
【図５】
0005393396.tif 000006
【図６】
0005393396.tif 000007
【図７】
0005393396.tif 000008
【図８】
0005393396.tif 000009
【図９】
0005393396.tif 000010
【図１０】
0005393396.tif 000011
【図１１】
0005393396.tif 000012